(57)【要約】      （修正有）【課題】鍋の重量に感応する温度センサを備えるガスコンロにおいて、網や火起こし器の使用を可能にする五徳を提供する。【解決手段】上下方向に可動なセンサを備え、当該センサが下方向に押圧された場合にのみ、ガスの着火を許容するガスコンロに使用する五徳１００であって、ガスコンロの表面上に置かれる底面部１１０と、底面部１１０から一定の高さの上方に位置し、鍋や網を載置することが可能な上面部１２０と、上面部１２０の底面から下方に延び、当該五徳１００をガスコンロ上に置いたときに、センサを下方に押し込むセンサ押し下げ部１４０と、を備える。【選択図】図１
0003187594.tif 000002
【実用新案登録請求の範囲】
【請求項１】
上下方向に可動なセンサを備え、当該センサが下方向に押圧された場合にのみ、ガスの着火を許容するガスコンロに使用する五徳であって、
前記ガスコンロの表面上に置かれる底面部と、
前記底面部から一定の高さの上方に位置し、加熱対象物を載置することが可能な上面部と、
前記上面部の底面から下方に延び、当該五徳を前記ガスコンロ上に置いたときに、前記センサを下方に押し込むセンサ押し下げ部と、
を備えることを特徴とする五徳。
【請求項２】
前記センサ押し下げ部の周囲に形成され、前記センサ押し下げ部と同一の長さを有するガイド部をさらに備えることを特徴とする請求項１に記載の五徳。
【請求項３】
前記底面部はリング状であることを特徴とする請求項１または２に記載の五徳。
【請求項４】
前記底面部の外縁には下方に延びる突出部が形成されており、前記突出部は前記ガスコンロに設けられている五徳に係合するものであることを特徴とする請求項１乃至３の何れか一項に記載の五徳。
【考案の詳細な説明】
【技術分野】
【０００１】
本考案は五徳に関する。
【背景技術】
【０００２】
図３及び図４は特開平８−８６４４５号公報に記載されているガスコンロの概略的な側面図である。
【０００３】
図３及び図４に示すガスコンロ１は、鍋１３を載置するための五徳３と、五徳３に置かれた鍋１３の底面に火力を供給するバーナー５と、バーナー５の中央において上下動可能に設けられ、鍋１３の底面に接触して鍋１３の温度を検出する温度センサ７と、温度センサ７が鍋１３の底面と接触していることを検出するマイクロスイッチ１１と、マイクロスイッチ１１から送信される信号に基づいて鍋１３の有無を判定し、判定結果に応じてバーナー５の火力を制御する制御手段（図示せず）と、を備えている。
【０００４】
温度センサ７はバネ（図示せず）により常に上方に付勢されている。
【０００５】
図３に示すように、鍋１３が五徳３の上に載せられていない場合には、温度センサ７の最上部は五徳３の上面よりも上に出ている。この場合、温度センサ７の下方に延びるセンサ支持棒９はマイクロスイッチ１１を押しておらず、マイクロスイッチ１１はオフの状態になっている。
【０００６】
図４に示すように、鍋１３が五徳３の上に載せられると、温度センサ７は鍋１３により下方に押し下げられる。これにより、センサ支持棒９は距離Ｓだけ下降し、マイクロスイッチ１１を押し下げ、マイクロスイッチ１１はオンの状態となる。
【０００７】
制御手段は、鍋１３が五徳３の上に載せられていない場合（すなわち、マイクロスイッチ１１がオフの状態）には、バーナー５にガスを供給しないのに対して、鍋１３が五徳３の上に載せられた場合（すなわち、マイクロスイッチ１１がオンの状態）にのみ、バーナー５にガスを供給可能にする。
【０００８】
このように、ガスコンロ１においては、鍋１３が五徳３の上に載せられている場合にのみ、バーナー５は着火可能であるので、鍋１３が五徳３の上に載せられていないにもかかわらず、バーナー５が着火されることを防止することができ、安全性を確保することができる。
【先行技術文献】
【特許文献】
【０００９】
【特許文献１】特開平８−８６４４５号公報
【考案の開示】
【考案が解決しようとする課題】
【００１０】
ガスコンロ１においては、鍋１３などの重量物を五徳３の上に載せる場合には、温度センサ７は鍋１３により下方に押されるため、温度センサ７は正常に作動する。
【００１１】
しかしながら、例えば、網を五徳３の上に置く場合（網の上で魚などを焼く場合）には、網が軽すぎるため、温度センサ７が作動しないことがある。
【００１２】
あるいは、火起こし器（鍋と同様の形状をしており、底面が網の目状になっている道具。網の目状になっている底面上に炭を起き、コンロの火で炭に火を起こす）を五徳３の上に置く場合、網の目が大きすぎるような場合には、温度センサ７が網の目の隙間を通り抜けてしまうため、温度センサ７が作動しない。
【００１３】
このように、図３及び図４に示した従来のガスコンロ１は、網や火起こし器を使用することができないという問題点を有していた。
【００１４】
本考案はこのような従来のガスコンロにおける問題点に鑑みてなされたものであり、五徳３の上に置かれる鍋１３の重量に感応する温度センサ７を備えるガスコンロにおいて、網や火起こし器の使用を可能にする五徳を提供することを目的とする。
【課題を解決するための手段】
【００１５】
上記の目的を達成するため、本考案は、上下方向に可動なセンサを備え、当該センサが下方向に押圧された場合にのみ、ガスの着火を許容するガスコンロに使用する五徳であって、前記ガスコンロの表面上に置かれる底面部と、前記底面部から一定の高さの上方に位置し、加熱対象物を載置することが可能な上面部と、前記上面部の底面から下方に延び、当該五徳を前記ガスコンロ上に置いたときに、前記センサを下方に押し込むセンサ押し下げ部と、を備えることを特徴とする五徳を提供する。
【００１６】
本考案に係る五徳は、前記センサ押し下げ部の周囲に形成され、前記センサ押し下げ部と同一の長さを有するガイド部をさらに備えることが好ましい。
【００１７】
前記底面部はリング状であることが好ましい。
【００１８】
前記底面部の外縁には下方に延びる突出部が形成されており、前記突出部は前記ガスコンロに設けられている五徳に係合するものであることが好ましい。
【考案の効果】
【００１９】
本考案に係る五徳をガスコンロの五徳の上に置くと、この状態においては、センサ押し下げ部がガスコンロの温度センサ７に接触し、温度センサを下方に押し下げる。このため、温度センサ７と一体のセンサ支持棒が距離Ｓだけ下降し、マイクロスイッチを押し下げ、マイクロスイッチはオンの状態になっている。すなわち、バーナーにはガスが供給可能な状態になっている。この後、例えば、本考案に係る五徳の上に網や火起こし器を載せた後、バーナーから放出されるガスに着火する。このように、従来のガスコンロには網を用いることができなかったのに対して、本考案に係る五徳によれば、網や火起こし器をガスコンロ１に用いることが可能になる。
【図面の簡単な説明】
【００２０】
【図１】本考案の第一の実施形態に係る五徳の斜視図である。
【図２】本考案の第二の実施形態に係る五徳の部分的な斜視図である。
【図３】従来のガスコンロの概略的な側面図である。
【図４】従来のガスコンロの概略的な側面図である。
【考案を実施するための形態】
【００２１】
（第一の実施形態）
図１は本考案の第一の実施形態に係る五徳１００の斜視図である。
【００２２】
本実施形態に係る五徳１００は、ガスコンロ１の五徳３の上に置かれる底面部１１０と、鍋１３が置かれる上面部１２０と、底面部１１０と上面部１２０とを連結する４個の支持部１３０と、上面部１２０の底面から下方に延びる円筒形状のセンサ押し下げ部１４０と、から形成されている。
【００２３】
底面部１１０はリング形状をなしており、ガスコンロ１の五徳３の上に置くことができる大きさを有している。
【００２４】
上面部１２０は、底面部１１０とほぼ同じ大きさのリング形状の第一部分１２１と、第一部分１２１の中央に位置する円形状の第二部分１２２と、からなる。
【００２５】
各支持部１３０は、上下方向に延び、底面部１１０と上面部１２０の第一部分１２１とを連結する鉛直部分１３１と、水平方向に延び、上面部１２０の第一部分１２１と第二部分１２２とを連結する水平部分１３２と、からなる。
【００２６】
各支持部１３０の鉛直部分１３１は上面部１２０を底面部１１０に対して一定の高さに保持する。各支持部１３０の水平部分１３２は上面部１２０の第二部分１２２とともに、鍋１３を置くための平面を形成している。
【００２７】
センサ押し下げ部１４０は上面部１２０の第二部分１２２から下方に延びており、本実施形態に係る五徳１００をガスコンロ１の五徳３の上にたときに、ガスコンロ１の温度センサ７を十分に押し下げるだけの長さを有している。
【００２８】
以上のような構造を有する本実施形態に係る五徳１００はガスコンロ１に対して以下のようにして使用される。
【００２９】
まず、本実施形態に係る五徳１００をガスコンロ１の五徳３の上に置く。具体的には、五徳１００の底面部１１０を五徳３の上に置く。この状態においては、センサ押し下げ部１４０がガスコンロ１の温度センサ７に接触し、温度センサ７を下方に押し下げている。このため、温度センサ７と一体のセンサ支持棒９が距離Ｓだけ下降し、マイクロスイッチ１１を押し下げ、マイクロスイッチ１１はオンの状態になっている。すなわち、バーナー５にはガスが供給可能な状態になっている。
【００３０】
この後、五徳１００の上に網や火起こし器をた後、バーナー５から放出されるガスに着火する。
【００３１】
以上のように、本実施形態に係る五徳１００によれば、従来は用いることができなかった網や火起こし器をガスコンロ１に用いることが可能になる。
【００３２】
本実施形態に係る五徳１００は上記の構造に限定されるものではなく、種々の改変が可能である。
【００３３】
例えば、五徳１００は４個の支持部１３０を備えているが、支持部１３０の個数は４には限定されない。底面部１１０を上面部１２０から一定の高さに支持することができ、かつ、上面部１２０に網や鍋を置くことができる範囲内において、任意の数を選択することができる。例えば、３または５以上の数を選択することができる。
【００３４】
また、本実施形態に係る五徳１００においては、底面部１１０及び上面部１２０の形状はリング形状にされているが、底面部１１０及び上面部１２０の形状はリング形状に限定されるものではなく、種々の形状を選択することができる。例えば、四角形その他の多角形形状を選択することも可能である。
【００３５】
なお、本実施形態に係る五徳１００のように、底面部１１０をリング形状にした場合には、各支持部１３０の鉛直部分１３１を底面部１１０を越えて下方に延ばし、突出部１３３（図１参照）を形成することが可能である。
【００３６】
例えば、底面部１１０を構成するリングの内径をガスコンロ１の五徳３の外径に等しく設定することにより、底面部１１０の外縁に形成された突出部１３３はガスコンロ１の五徳３に嵌まり込むことが可能である。突出部１３３がガスコンロ１の五徳３に嵌まり込むことによって、五徳３の上にられた五徳１００の安定性を高めることができる。
【００３７】
なお、突出部１３３は各支持部１３０の鉛直部分１３１の延長として形成することも可能であるが、図１に示す突出部１３４（破線で示す）のように、鉛直部分１３１の延長としてではなく、単に底面部１１０の外縁に突出部１３４を取り付ける（例えば、溶接により）ことも可能である。
【００３８】
また、本実施形態に係る五徳１００においては、底面部１１０と上面部１２０とは支持部１３０の鉛直部分１３１を介して連結されているが、支持部１３０の鉛直部分１３１を用いることは必ずしも必要ではない。例えば、五徳１００の全体の形状を円筒形にすることにより、底面部１１０と上面部１２０とを一体的に形成することも可能である。
【００３９】
（第二の実施形態）
図２は本考案の第二の実施形態に係る五徳の部分的な斜視図である。
【００４０】
本実施形態に係る五徳は、第一の実施形態に係る五徳１００と比較して、ガイド部２１０をさらに備えている。
【００４１】
ガイド部２１０は、図２に示すように、センサ押し下げ部１４０の周囲に形成され、センサ押し下げ部１４０と同一の長さを有している。
【００４２】
具体的には、ガイド部２１０は、上面部１２０の第二部分１２２から下方に延びる第一部分２１１と、一端において第一部分２１１の先端と接続し、センサ押し下げ部１４０の周囲に円を形成する第二部分２１２と、上面部１２０の第二部分１２２から下方に延び、先端において第二部分２１２の他端と接続している第三部分２１３と、からなる。
【００４３】
第一部分２１１と第三部分２１３とはセンサ押し下げ部１４０と同一の長さを有している。
【００４４】
第一部分２１１、第二部分２１２及び第三部分２１３は一本の線材で構成されている。
【００４５】
ガイド部２１０はセンサ押し下げ部１４０と同様にガスコンロ１の温度センサ７を押し下げる機能を有している。すなわち、ガイド部２１０を設けることにより、温度センサ７を押し下げるための部材の面積が拡大されるので、センサ押し下げ部１４０が温度センサ７に接触できない場合であっても、センサ押し下げ部１４０の周囲のガイド部２１０が温度センサ７に接触し、温度センサ７を下方に押し下げることが可能である。
【００４６】
このように、本実施形態に係る五徳によれば、ガイド部２１０を設けることにより、ガスコンロ１の五徳３の上に本実施形態に係る五徳を載せる位置が多少ずれた場合であっても、ガスコンロ１の温度センサ７を確実に押し下げることが可能になる。
【００４７】
なお、ガイド部２１０の形状は本実施形態における形状に限定されるものではなく、温度センサ７を押し下げるための面積を拡大することができるものである限りにおいて、任意の形状を選択することができる。
【符号の説明】
【００４８】
１００  本考案の第一の実施形態に係る五徳
１１０  底面部
１２０  上面部
１３０  支持部
１４０  センサ押し下げ部
２１０  ガイド部
【図１】
0003187594.tif 000003
【図２】
0003187594.tif 000004
【図３】
0003187594.tif 000005
【図４】
0003187594.tif 000006